【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
携帯機器に対する電力を節約するための計算機実行可能コンポーネントを有する１つ以上の計算機記憶媒体であって、前記コンポーネントが、
前記携帯機器上の電力を消費する資源の利用可能性に関する通知を受信するためのインターフェースコンポーネントと、
記憶領域にストアされている、実行中に前記資源を消費する複数のスケジュールを識別するための条件コンポーネントであって、前記複数のスケジュールのそれぞれが、再発性アクティブ化時刻及び許容係数を有するものと、
前記再発性アクティブ化時刻と前記インターフェースコンポーネントによる前記通知の受信時刻との間の差が、前記許容係数の範囲内にある前記識別された複数のスケジュールのうち１つ以上を選択するための統合コンポーネントと、
前記電力を消費する資源を使用するために前記統合コンポーネントによって選択された前記スケジュールを実行する節約コンポーネントと、を含むことを特徴とする計算機記憶媒体。
【請求項２】
更に、前記節約コンポーネントによって実行されるスケジュールの数を所定の制限値に応じて制限するためのスロットルコンポーネントを含む請求項１記載の計算機記憶媒体。
【請求項３】
前記電力を消費する資源が、携帯機器に関連付けられている、
無線周波数送信機、バックライト、プロセッサー、音声増幅器、全地球測位システム、デジタルメモリー待機、短距離無線ネットワークアダプター、補助プロセッサー、振動モーター、リンガー、カメラ、加速度計、及びアンビエントライトセンサーのうち１つ以上を含むこと特徴とする請求項１記載の計算機記憶媒体。
【請求項４】
計算装置に関連する資源が利用可能であることを示すイベント通知を受信するステップと、
複数の再発性スケジュールにアクセスするステップであって、前記複数の再発性スケジュールのそれぞれが、定義されたアクティブ化時刻及びそれに関連付けられている許容係数を有するものと、
前記受信したイベント通知、現在時刻、前記定義されたアクティブ化時刻、及び前記アクセスされたスケジュールのそれぞれの前記許容係数に応じて前記アクセスされたスケジュールのうち１つ以上を識別するステップと、
前記利用可能な資源を消費するために前記識別されたスケジュールをアクティブ化するステップと、を含む方法。
【請求項５】
前記識別されたスケジュールをアクティブ化するステップが、前記識別されたスケジュールに関連付けられている１つ以上の動作を実行するステップを含むことを特徴とする請求項４記載の方法。
【請求項６】
前記複数のスケジュールのそれぞれが、アクティブ化時刻の間の間隔期間を有していて、更に、前記スケジュールに関する前記間隔期間に基づいて、前記アクティブ化されるスケジュールのそれぞれに対して次のアクティブ化時刻を定義するステップを含むことを特徴とする請求項４記載の方法。
【請求項７】
前記次のアクティブ化時刻を定義するステップが、前記スケジュールのそれぞれに対する前記次のアクティブ化時刻を定義するために、前記スケジュールのそれぞれに対する前記間隔期間を前記現在時刻に追加するステップを含むことを特徴とする請求項６記載の方法。
【請求項８】
前記現在時刻と定義された前記次のアクティブ化時刻との間の差が、前記間隔期間よりも小さいことを特徴とする請求項６記載の方法。
【請求項９】
前記アクセスされたスケジュールのうち１つ以上を識別するステップが、
前記現在時刻と前記スケジュールのそれぞれに対し定義された前記アクティブ化時刻との間の差を計算するステップと、
前記計算された差を前記スケジュールに対する前記許容係数と比較するステップと、
前記比較に基づいて前記スケジュールのうち１つ以上を識別するステップと、を含むことを特徴とする請求項４記載の方法。
【請求項１０】
前記アクセスされたスケジュールのうち１つ以上を識別するステップが、前記利用可能な資源を使用する前記スケジュールのうち１つ以上を識別するステップを含むこと、を特徴とする請求項４記載の方法。
【請求項１１】
前記受信ステップ、前記アクセスステップ、前記識別ステップ、及び前記アクティブ化するステップが、携帯機器によって実行されることを特徴とする請求項４記載の方法。
【請求項１２】
前記複数のスケジュールのそれぞれが、それに関連付けられている少なくとも１つ動作を有していて、前記識別されたスケジュールをアクティブ化するステップが、前記識別されたスケジュールのそれぞれに関連付けられている動作を実行するように携帯機器に命令するステップを含むこと、を特徴とする請求項４記載の方法。
【請求項１３】
更に、スロットル限界を定義するステップを含んでいて、前記識別されたスケジュールをアクティブ化するステップが、前記定義されたスロットル限界よりも小さい数の前記識別されたスケジュールをアクティブ化するステップを含むことを特徴とする請求項４記載の方法。
【請求項１４】
前記識別されたスケジュールが、携帯機器上でアクティブ化することと、前記スロットル限界を定義するステップが、前記携帯機器上の資源の消費状態に応じて前記スロットル限界を定義するステップを含むこと、を特徴とする請求項１３記載の方法。
【請求項１５】
複数の再発性スケジュールをストアするための記憶領域であって、前記複数の再発性スケジュールのそれぞれが、定義されたアクティブ化時刻、許容係数、及びアクティブ化時刻間の間隔期間を有するものと、
プロセッサーであって、
前記再発性スケジュールのそれぞれに対し定義された前記アクティブ化時刻、許容係数、及び間隔期間を受信するステップと、
前記受信されたアクティブ化時刻、許容係数、及び間隔期間を前記記憶領域にストアするステップと、
計算装置に関連する資源が利用可能であることを示すイベント通知を通知時刻に受信するステップと、
前記受信された通知を適用する対象であって、かつ、前記定義されたアクティブ化時刻と前記通知時刻との間の差が前記許容係数の範囲内にある、前記再発性スケジュールのうち１つ以上を識別するステップと、
前記識別されたスケジュールをアクティブ化するために統合するステップと、
前記利用可能な資源を消費するために前記統合されたスケジュールのそれぞれに関連付けられている１つ以上の動作を実行するステップと、に関する計算機実行可能命令を実行するように構成されているものと、を含むシステム。
【請求項１６】
前記イベントが、携帯機器の起動を含んでいて、前記プロセッサーが更に、前記識別されたスケジュールのアクティブ化を共通のアクティブ化時刻に整列するように構成されていることを特徴とする請求項１５記載のシステム。
【請求項１７】
前記記憶領域及び前記プロセッサーが、携帯機器に関連付けられていることを特徴とする請求項１５記載のシステム。
【請求項１８】
前記記憶領域及び前記プロセッサーが、デバイス管理サーバーに関連付けられていて、前記プロセッサーが、前記統合されたスケジュールのそれぞれに関連付けられている動作の実行を実施するように携帯機器に命令することによって、前記１つ以上の動作を実行するように構成されていること、を特徴とする請求項１５記載のシステム。
【請求項１９】
更に、
前記受信した通知、前記通知時刻、前記定義されたアクティブ化時刻、及び前記複数のスケジュールのそれぞれの前記許容係数に応じて前記複数の再発性スケジュールのうち１つ以上を識別する手段と、
前記識別されたスケジュールをアクティブ化するために統合する手段と、を含む請求項１５記載のシステム。
【請求項２０】
更に、前記再発性スケジュールのアクティブ化を整列するための手段を含む請求項１５記載のシステム。